(57)【特許請求の範囲】
【請求項１】
第１収納スペースが規定されるボックス体と、
前記第１収納スペース内の空気における一部或いは全部の酸素ガスを前記第１収納スペースから抽出することにより、前記第１収納スペース内を窒素富化酸素欠損状態として食品鮮度保持に有利な雰囲気にさせるように構成された酸素ガス除去装置と、
遠心ファンと、を備えており、
前記酸素ガス除去装置は、ガス調整膜ユニットと、ガス抽出装置とを備え、
前記ガス調整膜ユニットは、少なくとも１つのガス調整膜と、１つの酸素富化ガス収集室とを備え、その周囲空間が前記第１収納スペースに連通し、前記ガス調整膜ユニットの周囲空間の気流における酸素ガスが前記ガス調整膜ユニットの周囲空間の気流における窒素ガスよりも前記ガス調整膜を多く透過して前記酸素富化ガス収集室に進入するように構成され、
前記ガス抽出装置の入口端は、管路を介して前記酸素富化ガス収集室に連通することにより、前記酸素富化ガス収集室内に透入したガスを前記ボックス体外へ引き抜き、
前記ガス調整膜ユニットは、平板型酸素富化膜ユニットであり、前記少なくとも１つのガス調整膜は、酸素富化膜であり、
前記平板型酸素富化膜ユニットは、支持フレームを更に備え、前記支持フレームは、互いに平行となる第１表面および第２表面を有し、前記支持フレームには、前記第１表面上に延在する気流通路、前記第２表面上に延在する気流通路、および、前記支持フレームを貫通して前記第１表面と第２表面とを連通させる気流通路という複数の気流通路がそれぞれ形成され、前記複数の気流通路は、共同して前記酸素富化ガス収集室を形成し、
前記酸素富化膜が２つあり、それぞれが平面型酸素富化膜であり、一方が前記支持フレームの第１表面に敷設され、他方が前記支持フレームの第２表面に敷設されており、
前記ボックス体の天壁内には、前記第１収納スペースに連通する収容室が設けられ、前記ガス調整膜ユニットは、前記収容室内に配置されており、
前記天壁の前記収容室と前記第１収納スペースの間の壁面には、少なくとも１つの第１通気孔と、少なくとも１つの前記第１通気孔に間隔をおいて位置する少なくとも１つの第２通気孔とが設けられていることにより、それぞれ異なる位置において前記収容室と前記第１収納スペースとを連通させ、
前記遠心ファンは、前記収容室内に配置されていることにより、前記第１収納スペースのガスが順次前記少なくとも１つの第１通気孔、前記収容室及び前記少なくとも１つの第２通気孔を経由して前記第１収納スペースに戻ることを促進し、
前記遠心ファンは、少なくとも１つの前記第１通気孔の上方に位置し、且つ回転軸線が鉛直下方へ向かい、吸気口が前記第１通気孔に正対し、排気口が前記ガス調整膜ユニットへ向かっており、前記ガス調整膜ユニットは、少なくとも１つの前記第２通気孔の上方に配置され、前記ガス調整膜ユニットの各ガス調整膜が前記ボックス体の前記天壁に平行となっていることを特徴とするガス調整鮮度保持収納装置。
【請求項２】
前記ボックス体には、複数の気圧バランス孔が設けられ、前記第１収納スペースと前記ボックス体の外側空間とは、複数の前記気圧バランス孔を介して連通していることを特徴とする請求項１に記載のガス調整鮮度保持収納装置。
【請求項３】
前記ガス調整鮮度保持収納装置は、引き出しを更に備え、
前記引き出しは、前記第１収納スペースにスライド可能に取り付けられることにより、前記第１収納スペースの前向き開口から、操作可能に外方へ引き出されたり、内方へ前記第１収納スペースに押し込まれたりすることを特徴とする請求項１に記載のガス調整鮮度保持収納装置。
【請求項４】
前記ガス調整鮮度保持収納装置は、前記第１収納スペースへ冷却能力を供給するように構成される冷却システムを更に備えることを特徴とする請求項１に記載のガス調整鮮度保持収納装置。
【請求項５】
前記ガス調整鮮度保持収納装置は、第２収納スペースが規定される筐体を更に備え、
前記ボックス体は、前記第２収納スペース内に取り付けられていることを特徴とする請求項１に記載のガス調整鮮度保持収納装置。
【発明の詳細な説明】
【技術分野】
【０００１】
本願は、出願日が２０１６年１２月０２日であり、出願番号が２０１６１１０９７４６６．３であり、発明名称が「ガス調整鮮度保持収納装置」である中国特許出願の優先権を主張し、当該出願の全文が引用により本願に組み込まれる。
【０００２】
本発明は、物品鮮度保持技術分野に関し、特にガス調整鮮度保持収納装置に関する。
【背景技術】
【０００３】
冷蔵庫は、一定の低温を保持する冷却機器でありながら、食品や他の物品を一定低温冷間に保持する民生品でもある。生活品質の向上とともに、消費者は、食品の貯蔵に対する鮮度保持の要求がますます高まり、特に食品の色味、食感等に対する要求もますます高まってきている。したがって、貯蔵される食品は、貯蔵期間において食品の色味、食感、新鮮度等ができるだけ変化しないことを保証すべきである。現在、市場には、食品をより良く貯蔵する手段として、真空鮮度保持のみがある。よく用いられる真空鮮度保持方式は、真空バッグによる鮮度保持および真空収納スペースによる鮮度保持である。
【０００４】
真空バッグによる鮮度保持を採用すると、消費者は、食品を貯蔵する度に真空引き動作を行なう必要があり、操作が煩雑であり、なかなか消費者の愛顧を受けられない。
【０００５】
真空収納スペースによる鮮度保持を採用すると、筐体等が剛性構造であるため、真空状態を保持するには、真空引きシステムに対する要求が非常に高く、冷蔵庫の密封性能に対する要求も非常に高い。物品１件を投入する度に、新たな空気が多く入って、エネルギー消費が大きい。しかも、真空環境において、食品が冷却能力を受け難くて、食品の貯蔵に特に不利である。また、真空環境であるため、ユーザは、冷蔵庫の扉を毎回開くなどために、大きな力を入れなければならず、ユーザの使用に不便を引き起こす。真空引きシステムを介して真空収納スペースへガスを注ぐ冷蔵庫もあるが、ユーザの待機時間が長くて、時間効率が悪い。真空時間が長い場合、冷蔵庫の筐体等がひどく変形する恐れもある。即ち、従来の真空引き構造を有する冷蔵庫は、真空鮮度保持をうまく実施できず、筐体等の強度が大きく要求され、実施要求が高く、コストも高い。
【発明の概要】
【発明が解決しようとする課題】
【０００６】
本発明は、従来の鮮度保持装置の少なくとも１つの欠陥を克服するガス調整鮮度保持収納装置を提供することにある。それは、空間内の空気における酸素ガスを当該空間から排出することにより、当該空間内を窒素富化酸素欠損状態として食品鮮度保持に有利な雰囲気にさせることを創造的に提出した。当該雰囲気は、果物・野菜保存空間内における酸素ガスの含有量を低減し、果物・野菜の酸素呼吸の強度を低下させつつ、基礎的な呼吸作用を保証して果物・野菜の無酸素呼吸を防止することにより、果物・野菜の長期間にわたる鮮度保持の目的を果たす。
【課題を解決するための手段】
【０００７】
そこで、本発明は、ガス調整鮮度保持収納装置を提供する。当該ガス調整鮮度保持収納装置は、第１収納スペースが規定されるボックス体と、前記第１収納スペース内の空気における一部或いは全部の酸素ガスを前記第１収納スペースから抽出することにより、前記第１収納スペース内を窒素富化酸素欠損状態として食品鮮度保持に有利な雰囲気にさせるように構成された酸素ガス除去装置と、を備える。
【０００８】
好ましくは、前記酸素ガス除去装置は、ガス調整膜ユニットと、ガス抽出装置とを備え、前記ガス調整膜ユニットは、少なくとも１つのガス調整膜と、１つの酸素富化ガス収集室とを備え、その周囲空間が前記第１収納スペースに連通し、前記ガス調整膜ユニットの周囲空間の気流における酸素ガスが前記ガス調整膜ユニットの周囲空間の気流における窒素ガスよりも前記ガス調整膜を多く透過して前記酸素富化ガス収集室に進入するように構成され、前記ガス抽出装置の入口端は、管路を介して前記酸素富化ガス収集室に連通することにより、前記酸素富化ガス収集室内に透入したガスを前記ボックス体外へ引き抜く。
【０００９】
好ましくは、前記ボックス体には、複数の気圧バランス孔が設けられ、前記第１収納スペースと前記ボックス体の外側空間とは、複数の前記気圧バランス孔を介して連通している。
【００１０】
好ましくは、前記ガス調整膜ユニットは、平板型酸素富化膜ユニットであり、前記ガス調整膜のそれぞれは、酸素富化膜である。
【００１１】
好ましくは、前記平板型酸素富化膜ユニットは、支持フレームを更に備え、前記支持フレームは、互いに平行となる第１表面および第２表面を有し、前記支持フレームには、前記第１表面に延在する気流通路、前記第２表面に延在する気流通路、および、前記支持フレームを貫通して前記第１表面と第２表面とを連通させる気流通路という複数の気流通路がそれぞれ形成され、前記複数の気流通路は、共同して前記酸素富化ガス収集室を形成し、少なくとも１つの前記酸素富化膜は、２つの平面型酸素富化膜であり、それぞれ前記支持フレームの第１表面と第二表面とに敷設されている。
【００１２】
好ましくは、前記ガス調整鮮度保持収納装置は、引き出しを更に備え、前記引き出しは、前記第１収納スペースにスライド可能に取り付けられることにより、前記第１収納スペースの前向き開口から、操作可能に外方へ引き出されたり、内方へ前記第１収納スペースに押し込まれたりする。
【００１３】
好ましくは、前記ガス調整鮮度保持収納装置は、前記第１収納スペースへ冷却能力を供給するように構成される冷却システムを更に備える。
【００１４】
好ましくは、前記ガス調整鮮度保持収納装置は、第２収納スペースが規定される筐体を更に備え、前記ボックス体は、前記第２収納スペース内に取り付けられている。
【００１５】
好ましくは、前記ボックス体の天壁内には、前記第１収納スペースに連通する収容室が設けられ、前記ガス調整膜ユニットは、前記収容室内に配置されている。
【００１６】
好ましくは、前記天壁の前記収容室と前記第１収納スペースの間の壁面には、少なくとも１つの第１通気孔と、少なくとも１つの前記第１通気孔に間隔をおいて位置する少なくとも１つの第２通気孔とが設けられていることにより、それぞれ異なる位置において前記収容室と前記第１収納スペースとを連通させ、
【００１７】
前記ガス調整鮮度保持収納装置は、ファンを更に備え、前記ファンは、前記収容室内に配置されていることにより、前記第１収納スペースのガスが順次前記少なくとも１つの第１通気孔、前記収容室と前記少なくとも１つの第２通気孔を経由して前記第１収納スペースに戻ることを促進する。
【発明の効果】
【００１８】
本発明のガス調整鮮度保持収納装置は、酸素ガス除去装置を有するため、第１収納スペース内の酸素ガスを抽出可能であり、第１収納スペース内を窒素富化酸素欠損状態として食品鮮度保持に有利な雰囲気にさせることが可能である。当該雰囲気は、果物・野菜保存空間内の酸素ガスの含有量を低減し、果物・野菜の酸素呼吸の強度を低減しつつ、基礎的な呼吸作用を保証して果物・野菜の無酸素呼吸を防止することにより、果物・野菜の長期間にわたる鮮度保持の目的を果す。当該ガス調整鮮度保持収納装置は、鮮度保持効果が良いだけではなく、ボックス体等の剛性、強度に対する要求が低く、実現要求が低く、コストも低い。
【００１９】
さらに、発明者は、以下のことを見出した。ガス調整鮮度保持のための従来の窒素製造機器の体積が莫大であり、コストが高価であるため、当該技術は、基本的に各種の大型の専門貯蔵庫(貯蔵容量が一般的に少なくとも３０トン以上)への応用に限られている。どのような適切なガス調整技術および対応する装置を用いて経済的にガス調整システムを小型化して静音化して家庭や個人ユーザに向かせるかは、ガス調整鮮度保持分野の技術者が解決しようとするが未だに解決できていない技術的な難関と言える。本発明のガス調整鮮度保持収納装置では、酸素ガス除去装置がガス調整膜ユニットとガス抽出装置を備えるため、ガス調整鮮度保持分野の技術者がずっと解決しようとするが未だに解決できていない上記技術的な難関を解決した。ガス調整鮮度保持収納装置は、体積が小さく、騒音も低いため、特に家庭と個人に向いている。
【００２０】
特に、本発明のガス調整鮮度保持収納装置は、冷却機能を有する冷蔵庫であってもよく、冷却機能を有さない固定式収納装置または携帯型収納装置であってもよい。
【００２１】
図面に合わせて後述する本発明の具体的な実施例の詳細な記述によれば、本発明の上記および他の目的、メリットと特徴は、当業者により良好に理解される。
【図面の簡単な説明】
【００２２】
後文は、図面を参照しながら制限的ではなく例示的に本発明の幾つかの具体的な実施例を詳細に記述する。図面における同じ符号は、同じまたは類似する部品や部分を示す。当業者であれば分かるように、これらの図面が必ずしも割合に準じて描かれるものとは限らない。図面において、
【図１】本発明の一実施例に係るガス調整鮮度保持収納装置の模式的な構造図である。
【図２】本発明の別の実施例に係るガス調整鮮度保持収納装置の模式的な局所構造図である。
【図３】図２に示す構造の別の視角の模式的な構造図である。
【図４】本発明の一実施例に係るガス調整鮮度保持収納装置の模式的な局所構造図である。
【図５】図４に示す構造の模式的な分解図である。
【図６】本発明の一実施例に係るガス調整鮮度保持収納装置におけるガス調整膜ユニットの模式的な分解図である。
【発明を実施するための形態】
【００２３】
図１は、本発明の一実施例に係るガス調整鮮度保持収納装置の模式的な構造図である。図１に示すように、本発明の実施例は、ガス調整鮮度保持収納装置を提供する。当該ガス調整鮮度保持収納装置は、ボックス体２０と、酸素ガス除去装置とを備えてもよい。
【００２４】
ボックス体２０内には、第１収納スペース２１が規定されている。食品の保存のために、第１収納スペース２１は、なるべく密閉空間とされる。即ち、第１収納スペース２１は、密閉空間または略密閉空間である。幾つかの好適な実施例では、ガス調整鮮度保持収納装置は、ボックス体２０に回動可能に取り付けられる、第１収納スペース２１を開放または閉鎖する扉を更に備える。幾つかの実施例では、ガス調整鮮度保持収納装置は、引き出し２８を更に備える。引き出し２８は、第１収納スペース２１にスライド可能に取り付けられることにより、第１収納スペース２１の前向き開口から操作可能に外方引き出されたり、内方へ第１収納スペース２１に押し込まれたりする。引き出し２８は、引き出し端蓋を備えてもよい。引き出し端蓋は、第１収納スペース２１の開口と連携動作して第１収納スペース２１の閉鎖および開放を行ってもよい。
【００２５】
酸素ガス除去装置は、第１収納スペース２１内の空気における一部或いは全部の酸素ガスを第１収納スペース２１から抽出することにより、第１収納スペース２１内を窒素富化酸素欠損状態として食品鮮度保持に有利な雰囲気にさせるように構成される。つまり、当該酸素ガス除去装置は、第１収納スペース２１内から外方へガスを抽出する原理を用いて、第１収納スペース内の一部或いは全部の酸素ガスを抽出することにより、第１収納スペース２１内を窒素富化酸素欠損状態として食品鮮度保持に有利な雰囲気にさせる。当該酸素ガス除去装置は、抽出式酸素ガス除去装置であってもよい。
【００２６】
当業者であれば分かるように、正常な空気成分(体積百分率に準じる。以下では同じ)は、約７８％の窒素ガス、約２１％の酸素ガス、約０．９３９％の希ガス(ヘリウム、ネオン、アルゴン、クリプトン、キセノン、ラドン)、０．０３１％の二酸化炭素、および０．０３％の他のガスと不純物(例えば、オゾン、一酸化窒素、二酸化窒素、水蒸気等)を含む。本発明における窒素富化酸素欠損状態によって食品鮮度保持に有利な雰囲気にさせるとは、窒素ガス含有量が上記正常空気における窒素ガス含有量を超え、酸素ガス含有量が上記正常空気における酸素ガス含有量より低い雰囲気を指す。当該雰囲気は、果物・野菜保存空間内における酸素ガスの含有量を低減し、果物・野菜の酸素呼吸の強度を低下させつつ、基礎的な呼吸作用を保証して果物・野菜の無酸素呼吸を防止することにより、果物・野菜の長期間にわたる鮮度保持の目的を果たす。
【００２７】
本発明の幾つかの実施例では、酸素ガス除去装置は、ガス調整膜ユニット３０とガス抽出装置４０を備えてもよい。ガス調整膜ユニット３０は、少なくとも１つのガス調整膜３１と１つの酸素富化ガス収集室を備え、当該ガス調整膜ユニット３０の周囲空間が第１収納スペース２１に連通し、当該ガス調整膜ユニット３０の周囲空間の気流における酸素ガスがその中の窒素ガスよりもガス調整膜３１を多く透過して酸素富化ガス収集室に進入するように構成される。具体的に、各ガス調整膜３１の内側表面は、酸素富化ガス収集室へ向かうことにより、酸素富化ガス収集室の圧力がガス調整膜ユニット３０の周囲空間の圧力より小さいときに、ガス調整膜ユニット３０の外部空間の空気における酸素ガスがその中の窒素ガスよりも少なくとも１つのガス調整膜３１を多く透過して酸素富化ガス収集室に進入する。
【００２８】
ガス抽出装置４０の入口端は、管路５０を介して酸素富化ガス収集室に連通することにより、酸素富化ガス収集室内に透入したガスをボックス体２０外へ引き抜く。
【００２９】
当該実施例では、ガス抽出装置４０は、外方へガスを抽出することにより、酸素富化ガス収集室の圧力をガス調整膜ユニット３０の周囲空間の圧力より小さくでき、さらに、ガス調整膜ユニット３０の周囲空間内の酸素ガスを酸素富化ガス収集室に進入させ得る。第１収納スペースがガス調整膜ユニット３０の周囲空間に連通するため、第１収納スペース内の空気がガス調整膜ユニット３０の周囲空間に進入する。よって、第１収納スペース内の空気における酸素ガスを酸素富化ガス収集室に進入させることにより、第１収納スペース内を窒素富化酸素欠損状態として食品鮮度保持に有利な雰囲気にさせる。
【００３０】
本発明の幾つかの実施例では、図４と図５に示すように、ガス調整膜ユニット３０は、ボックス体２０に配置されてもよい。更に、ガス調整膜ユニット３０は、平板型であり、好ましくは、ボックス体２０の天壁に平行となるように配置されている。具体的に、ボックス体２０の天壁内には、第１収納スペース２１に連通する収容室２２が設けられている。ガス調整膜ユニット３０は、収容室２２内に配置されている。天壁の収容室と第１収納スペースとの間の壁面には、少なくとも１つの第１通気孔２３および第２通気孔２４が設けられている。少なくとも１つの第１通気孔２３は、少なくとも１つの第２通気孔２４と間隔を空けることにより、それぞれ異なる位置に収容室と第１収納スペースとを連通させる。幾つかの代替実施例では、ボックス体２０の天壁内側は、凹溝を有する。ガス調整膜ユニット３０は、ボックス体２０の天壁の凹溝内に配置されている。
【００３１】
本発明の幾つかの実施例では、第１収納スペース２１と収容室２２内のガス流動を促進するために、ガス調整鮮度保持収納装置は、ファン６０を更に備えてもよい。ファン６０は、収容室２２内に配置されてもよく、第１収納スペース２１のガスが第１通気孔２３を経由して収容室２２に進入することを促進し、且つ収容室２２内のガスが第２通気孔２４を経由して第１収納スペース２１に進入することを促進するように構成される。つまり、ファン６０は、第１収納スペースのガスが順次少なくとも１つの第１通気孔２３、収容室２２と少なくとも１つの第２通気孔２４を経由して第１収納スペース２１に戻ることを促進可能である。
【００３２】
ファン６０は、遠心ファンであることが好ましい。遠心ファンは、少なくとも１つの第１通気孔２３の上方に位置し、且つ回転軸線が鉛直下方へ向かい、吸気口が第１通気孔２３に正対する。遠心ファンの排気口は、ガス調整膜ユニット３０へ向かってもよい。ガス調整膜ユニット３０は、少なくとも１つの第２通気孔２４の上方に配置され、ガス調整膜ユニット３０の各ガス調整膜がボックス体２０の天壁に平行となるようにする。遠心ファン６０は、収容室２２の前部に配置され、ガス調整膜ユニット３０は、収容室２２の後部に配置されている。さらに、ボックス体２０の天壁は、主板部２５および蓋板部２６を備え、主板部２５の一部の領域には凹部が形成され、蓋板部２６は、凹部を取り外し可能に覆うことにより、上記収容室２２を形成する。ボックス体２０の製造が便利になるように、主板部２５は、ボックス体２０の側壁、底壁および後壁と一体成形されてもよい。
【００３３】
本発明の幾つかの実施例では、図６に示すように、当該ガス調整膜ユニット３０は、支持フレーム３２を更に備えてもよい。ガス調整膜３１は２つあってもよく、支持フレーム３２の両側に取り付けられることにより、２つのガス調整膜３１と支持フレーム３２とが共同して富酸素ガス収集室を取り囲む。
【００３４】
さらに、ガス調整膜ユニット３０は、平板型酸素富化膜ユニットである。ガス調整膜３１のそれぞれは、酸素富化膜である。支持フレーム３２は、ベゼル内のリブ板及び／又は平板等の構造に設けられるベゼルを備えてもよい。リブ板の間、リブ板と平板の間等には、気流通路が形成されてもよく、リブ板の表面と平板の表面の何れにも、気流通路を形成するように、凹溝が設けられてもよい。リブ板及び／又は平板は、ガス調整膜ユニット３０の構造強度等を向上可能である。つまり、平板型酸素富化膜ユニットは、支持フレームを更に備える。支持フレームは、互いに平行となる第１表面と第２表面を有し、且つ支持フレームには、それぞれ第１表面に延在する気流通路、第２表面に延在する気流通路、および支持フレームを貫通して第１表面と第２表面とを連通させる気流通路という複数の気流通路が形成され、複数の気流通路は、共同して酸素富化ガス収集室を形成する。少なくとも１つの酸素富化膜は、２つの平面型酸素富化膜であり、それぞれ支持フレームの第１表面と第２表面とに敷設されている。
【００３５】
本発明の幾つかの実施例では、支持フレーム３２は、上記少なくとも１つの気流通路に連通するガス抜き孔３３を備え、ガス抜き孔３３は、ベゼルに設けられて酸素富化ガス収集室における酸素ガスの出力を許容する。ガス抜き孔３３は、ガス抽出装置４０に連通する。具体的に、ガス抜き孔３３は、ガス調整膜ユニット３０の設置方位または実際の設計需要に応じて特定可能であるように、ベゼルの長辺の縁に設けられてもよく、ベゼルの短辺の縁に設けられてもよい。例えば、図４と図５に示す実施例では、ガス抜き孔３３は、ベゼルの長辺の縁に設けられてもよい。ガス調整膜３１は、両面テープ３４を介してベゼルに取り付けられてから、シーラー３５を介して密封される。
【００３６】
幾つかの実施例では、支持フレーム３２の内部に形成された上記少なくとも１つの気流通路は、ガス抜き孔３３に連通する１つまたは複数のキャビティであってもよい。幾つかの実施例では、支持フレーム３２の内部に形成された上記少なくとも１つの気流通路は、グリッド構造を有してもよい。具体的に、支持フレーム３２は、ベゼル、複数の第１リブ板および複数の第２リブ板を備えてもよい。上記複数の第１リブ板は、ベゼル内部で縦方向に間隔をおいて配置され且つ横方向に延在し、上記複数の第１リブ板の一方側の表面が第１表面を形成する。複数の第２リブ板は、上記複数の第１リブ板の他方側の表面で横方向に間隔をおいて配置され且つ縦方向に沿って延在し、上記複数の第２リブ板の第１リブ板から離隔する側の表面が第２表面を形成する。本発明の支持フレーム３２は、そのベゼル内に、縦方向に間隔をおいて且つ横方向に沿って延在する複数の第１リブ板と、上記複数の第１リブ板の一方側の表面に横方向に間隔をおいて且つ縦方向に沿って延在する複数の第２リブ板とを設けることにより、気流通路の一貫性を保証する一方、支持フレーム３２の体積を大きく縮小し、支持フレーム３２の強度を極めて大きく向上させる。また、支持フレーム３２の上記構造は、ガス調整膜３１が十分な支持を得ることを保証し、酸素富化ガス収集室の内部負圧が大きい場合にも良好な平坦度を常に保ち、ガス調整膜ユニット３０の使用寿命を保証する。
【００３７】
更なる実施例では、上記複数の第１リブ板は、複数の第１狭リブ板と複数の第１広リブ板を備えてもよい。その中、複数の第１広リブ板は、間隔をおいて配置され、隣り合う２つの第１広リブ板の間には、複数の第１狭リブ板が配置されている。上記複数の第２リブ板は、複数の第２狭リブ板および複数の第２広リブ板を含んでもよく、複数の第２広リブ板は、間隔をおいて配置され、隣り合う２つの第２広リブ板の間には、複数の第２狭リブ板が配置されている。当業者であれば理解しやすいように、ここでの「広」と「狭」は、相対的に言う概念である。
【００３８】
幾つかの実施例では、各第１広リブ板は、第１表面を形成する一方側表面から内方へ窪んで第１トレンチを形成し、各第２広リブ板は、第２表面を形成する一方側表面から内方へ窪んで第２トレンチを形成する。これにより、支持フレーム３２の厚みが非常に小さい(または、体積が非常に小さい)ことを保証した前提で、その内部グリッド構造の連通性が向上する。
【００３９】
更なる実施例では、各第１広リブ板の第１表面から離反する一部の表面が第２リブ板へ向かって第２表面に揃うまで延在し、且つ第２表面に揃う当該一部の表面から内方へ窪んで第３トレンチを形成する。第３トレンチと第２トレンチとが交差する箇所は、連通して十字トレンチを形成する。上記複数の第２広リブ板のうち、少なくとも１つの第２広リブ板の第２表面から離反する一部の表面は、第１リブ板へ向かって第１表面に揃うまで延在し、第１表面に揃う当該一部の表面は、内方へ窪んで第４トレンチを形成する。ただし、第４トレンチと第１トレンチとが交差する箇所は、連通して十字トレンチを形成する。
【００４０】
本発明の幾つかの実施例では、気流の流動が容易なるように、蓋板部２６の内面が下方へ延在して複数の導風リブ板が形成されてもよい。こうして、ファン６０からの気流が収容室内でガス調整膜ユニット３０の各ガス調整膜３１の酸素富化ガス収集室から離反する外側表面を流れるように案内する。複数の導風リブ板は、２群に分けられてもよい。その２群の導風リブ板は、第１群の導風リブ板と、第１群の導風リブ板とは１つの平面について対称に配置された第２群の導風リブ板とを含む。各群の導風リブ板は、第１導風リブ板、少なくとも１つの第２導風リブ板および少なくとも１つの第３導風リブ板を含む。第１導風リブ板は、遠心ファンの排気口から収容室の一方側へ延在し、且つガス調整膜ユニット３０の１つの横方向外側まで延在する。第２導風リブ板のそれぞれは、２つの第１導風リブ板の間に配置され、且つガス調整膜ユニット３０と遠心ファンの間に位置する。第３導風リブ板のそれぞれがガス調整膜ユニット３０の１つの横方向外側に位置することにより、気流がガス調整膜ユニット３０の横方向両側からガス調整膜ユニット３０と収容室の底面或いは天面との間の隙間に進入するように気流を案内する。
【００４１】
本発明の幾つかの実施例では、ボックス体２０には、複数の気圧バランス孔が設けられてもよく、第１収納スペース２１と第１収納スペース２１の外側空間とは、複数の気圧バランス孔を介して連通する。各気圧バランス孔は、ミリメートルオーダーの気圧バランス孔であってもよい。例えば、各気圧バランス孔の直径は、０．１ｍｍ〜３ｍｍであり、１ｍｍ、１．５ｍｍ等であることが好ましい。複数の気圧バランス孔を設けると、第１収納スペース２１内の圧力は、低すぎなくなる。複数の気圧バランス孔を設けることにより、第１収納スペース２１内の窒素ガスが外方へ流れることはない。たとえ外方へ流れても、微小であり、引いては無視でき、第１収納スペース２１内での食品の保存に影響しない。本発明の幾つかの好適な実施例では、ボックス体２０には、気圧バランス孔が設けられなくてもよい。それにしても、第１収納スペース２１内には、大量の窒素ガス等のガスがまだ存在する。ユーザは、引き出し２８を開く際、そんなに苦労しなくてもよく、従来の真空収納室より、大きく省力化される。
【００４２】
本発明の幾つかの実施例では、ガス調整鮮度保持収納装置は、筐体１０と主扉を更に供える。筐体１０内には、第２収納スペース１１が規定されてもよい。ボックス体２０は、第２収納スペース１１内に取り付けられている。主扉は、筐体１０に回動可能に接続されて第２収納スペース１１を開放或いは閉鎖する。つまり、ガス調整鮮度保持収納装置は、１つの大きな空間を有し、大きな空間における１つの小さな空間内のみで窒素富化酸素欠損状態による鮮度保持を行なう。
【００４３】
本発明の幾つかの実施例では、図２と図３に示すように、ガス調整鮮度保持収納装置は、第１収納スペース２１へ冷却能力を供給するように構成される冷却システムを更に備える。さらに、当該冷却システムは、まず、第２収納スペース１１へ冷却能力を供給し、その後、冷却能力は、第１収納スペース２１に伝達される。このような冷却システムを有するガス調整鮮度保持収納装置は、通常、冷藏冷凍装置と呼ばれてもよく、例えば、少なくとも冷藏コンパートメント１１と冷凍コンパートメント１２とを有する冷蔵庫であってもよい。冷却システムは、よく見られる圧縮冷却システムまたは半導体冷却システム等であってもよく、例えば、直冷及び／又は風冷形態によって収納コンパートメントへ冷却能力を供給する。こうして、収納コンパートメントは、所望の保藏温度を有する。幾つかの実施例では、冷蔵庫冷藏コンパートメントの保藏温度は、２〜９℃であってもよく、または４〜７℃であってもよい。冷凍コンパートメントの保藏温度は、−２２〜−１４℃であってもよく、または−２０〜１６℃であってもよい。このような冷却システム自身が当業者に分かり、実現されやすいものであるため、本発明の要旨が混同されないように、後文では冷却システム自身について多く説明しない。本発明の実施例の第２収納スペースは、冷藏コンパートメントであることが好ましく、無論冷凍コンパートメントまたは変温コンパートメントであってもよい。さらに、冷藏空間、冷凍空間と変温空間の相対位置は、実際の需要に応じて調整可能である。
【００４４】
本発明の幾つかの実施例では、図２と図３に示すように、筐体１０の後側下部には、取付室１３が設けられてもよい。冷却システムが圧縮冷却システムであるとき、当該取付室１３は、圧縮機室と呼ばれてもよく、ボックス体の横方向に沿って延在してもよい。ガス抽出装置４０は、当該取付室１３内に配置される吸気ポンプを備えてもよい。具体的に、吸気ポンプは、当該取付室１３の横方向一端に取り付けられてもよい。
【００４５】
吸気ポンプの取付が便利に、しかもコストが低価になるように、ガス抽出装置４０は、取付底板およびシールボックスを更に備えてもよい。取付底板は、複数の制振パッドを介して取付室１３の底面に取り付けられてもよい。シールボックスは、取付底板に取り付けられている。ガス抽出装置４０は、シールボックス内に取り付けられている。さらに、シールボックスの内部には、１つの取付フレームが配置され、取付フレームとシールボックスの内壁とは、複数の制振パッドを介して接続され、吸気ポンプは、取付フレームの内部に固定される。このように吸気ポンプの運転時における振動および騒音を低減する。具体的に、取付フレームの底部には、２つの制振パッドが配置され、制振パッドは、シールボックスの底面の位置決め柱に外装されている。取付フレームの一方の対向する両側には、１つずつの円形の制振パッドが配置され、当該制振パッドは、シールボックスの該当する側壁の係合溝内に係止される。取付フレームの他方の対向する両側には、１つずつの制振パッドが固定される。吸気ポンプは、シールボックス内の各制振パッドの間に位置し、ネジを介して取付フレームに締め付けられてもよい。
【００４６】
本発明の幾つかの実施例では、引き出し２８とボックス体２０の間には、ロック装置、ハンドルとハンドル位置決め装置が配置されている。ロック装置は、引き出し端蓋の両側に配置された回動ロックキャッチと、ボックス体２０に設けられた２つの係合部と、係止促進装置とを備える。係合部のそれぞれは、突起であってもよい。係止促進装置は、２つの回動ロックキャッチがそれぞれに対応する係合部に係止される方向(即ち、各自の第１方向)へ向かって回動するように促進するために用いられてもよい。ハンドルは、水平に延在し、且つ鉛直方向に沿って引き出し端蓋にスライド可能に取り付けられてもよい。また、引き出し２８が閉じる状態であるときに、ハンドルの所在する位置は、ハンドルの初期位置であってもよい。ハンドルは、その初期位置に配置されるときに、その両端がそれぞれ２つの回動ロックキャッチに接触して当接することにより、各回動ロックキャッチがそれぞれに対応する第１方向とは反対する別の方向に沿って回動することを阻止する。これにより、回動ロックキャッチと係合部とが係合状態を保ち、引き出し２８をボックス体２０にロッキングさせる。さらに、ハンドルが上方または下方へロック保持解除位置まで移動し、即ち、初期位置からロック保持解除位置まで移動した後、各回動ロックキャッチがそれぞれに対応する第１方向とは反対する別の方向に沿って回動することを許容することにより、外方へ引き出し２８を引き出すことを許容するときに、回動ロックキャッチは、回動して対応する係合部から離脱する。こうして、引き出し２８を開くことは、許容される。ハンドル位置決め装置は、ハンドルが各所定位置まで移動した後、ハンドルを当該位置に保持するように構成され、当該位置は、主に初期位置とロック保持解除位置である。引き出しを開く際、ユーザは、まずハンドルを上方或いは下方へロック保持解除位置まで移動させて、ハンドル位置決め装置によってハンドルを当該位置に維持させ、ユーザは、外方へ引き出し２８を引き出せる。引き出しを閉じる際、ユーザは、まず、引き出し２８を閉じ、その後ハンドルを下方或いは上方へ初期位置まで戻らせ、ハンドル位置決め装置によってハンドルを当該位置に維持させる。これにより、引き出し２８とボックス体２０とは、ロック状態を保持する。
【００４７】
ハンドルの移動がより安定になるように、ハンドルの両端には、それぞれガイドロッドおよび摺動ブロックが更に設けられている。ガイドロッドは、鉛直方向に沿って延在する。引き出し２８は、２群のスライドガイドを更に備え、各群のスライドガイドは、少なくとも３つの鉛直方向に沿って延在するスライドスロットを有することにより、ガイドロッドの両側のそれぞれが１つのスライドスロットを有し、摺動ブロックが他のスライドスロットに移動し、または、摺動ブロックの両側のそれぞれが１つのスライドスロットを有し、ガイドロッドが他のスライドスロットに移動する。例えば、各群のスライドガイドは、４つのスライドスロットを備えてもよく、ガイドロッドの前後両側は、それぞれ１つのスライドスロットを有し、摺動ブロックの横方向両側(即ち、左右両側)のそれぞれは、１つのスライドスロットを有する。
【００４８】
これまでに、当業者であれば分かるように、本発明の複数の例示的な実施例が本文に詳細に示されて記述されてきたが、本発明の要旨及び範囲を逸脱しない限り、本発明に開示された内容から本発明の原理に合致する大量の他の変形や改良を直接特定或いは推論することが可能である。したがって、本発明の範囲がこれらの他の変形や改良を全てカバーするとは、理解及び認定されるべきである。
【図１】
0006817438.tif 000002
【図２】
0006817438.tif 000003
【図３】
0006817438.tif 000004
【図４】
0006817438.tif 000005
【図５】
0006817438.tif 000006
【図６】
0006817438.tif 000007